(57)【要約】【課題】設置時に発生するであろう音、衝撃を防ぎ、装置の品質を保つことが可能で、設置性の向上が図ることができる画像形成装置を提供する。【解決手段】装置本体１の底面１ａの脚部２の近傍に設置補助部材１０を回転軸１０ａを中心に上下方向で回動可能に軸支して設け、装置本体１の接地面３上への設置時には脚部２より下方へ突出するように回動させ、装置本体１を設置した後、画像形成装置として使用する前に装置本体１の底面１ａ側へ寄せるように回動させて収納する。設置補助部材１０は、摩擦係数が小さい樹脂部品等で形成し、装置本体１の設置面３上への設置時に設置面３上を摺動させても、滑らせるのに困難が伴わず、滑らせながら設置することが容易にでき、こすれる音があまり発生せず、移動時に滑り止めのゴム部材２ａが剥がれてしまったり、設置面３上にこすれによる汚れが生じさせたりすることをなくす。【選択図】図３
2008093922.tif 000002
【特許請求の範囲】
【請求項１】
底面に設置用の脚や突起を備える画像形成装置において、装置本体底面に、前記設置用の脚や突起よりも突出高さが高く、不要時には装置本体底面側へ前記設置用の脚や突起よりも突出高さが低くなるように収納可能な装置設置補助部材を有することを特徴とする画像形成装置。
【請求項２】
請求項１の画像形成装置において、前記装置設置補助部材が、前記装置本体の底面あるいはその近傍部位に回動可能に取り付けてなることを特徴とする画像形成装置。
【請求項３】
請求項２の画像形成装置において、前記装置設置補助部材が、回動軸を中心にその高さが回動に伴って徐々に変化する端面形状を有することを特徴とする画像形成装置。
【請求項４】
請求項１から３のいずれかの画像形成装置において、前記装置設置補助部材が低摩擦係数の樹脂部品であることを特徴とする画像形成装置。
【請求項５】
底面に設置用の脚や突起を備える画像形成装置において、装置本体底面に、設置時に前記設置用の脚や突起よりも移動方向前方側に、前記脚や突起よりも突出高さが低い突起を設けてなることを特徴とする画像形成装置。
【請求項６】
請求項５の画像形成装置において、前記突起を前記装置本体の設置時移動方向の左右両側２箇所以上に設けてなることを特徴とする画像形成装置。
【請求項７】
請求項５または６の画像形成装置において、前記突起が低摩擦係数の樹脂部品であることを特徴とする画像形成装置。
【発明の詳細な説明】
【技術分野】
【０００１】
本発明は、プリンタ等の画像形成装置に関する。
【背景技術】
【０００２】
プリンタ等の画像形成装置、特に小型のプリンタのような画像形成装置では、専用設置スペースが設けられることは少なく、机の上やパソコンラックの上段に設置される場合が多い。また設置に関しては、数人掛かりで慎重に設置するといったことは行われず、一人で行うことがほとんどである。
【０００３】
一方、このような画像形成装置の底面には、設置用の脚や突起が設けられているが、装置が滑ることを防ぐために滑り止め（多くの場合はゴムが用いられる）が設けられている。
【０００４】
ところで、小型のプリンタのような画像形成装置では、小型化、軽量化等が進んでいるとはいっても、例えばパソコンラックの上段や棚等の比較的高い位置に設置する場合、設置位置まで持ち上げ移動させること必要であり、小柄な人、非力な人（例えば女性）にとっては大変な作業である。
【０００５】
すなわち、画像形成装置の一部を設置面上に載せて設置位置まで滑らせようとした場合には、上述のように滑り止めが設けられているため、設置位置によっては滑らせにくく、特にパソコンラックの上段や棚の上では滑らせるのに困難が伴う場合があり、また無理に移動させた場合、滑り止めのゴムが剥がれてしまったり、滑り止めがゴム製の場合には設置面上にこすれによる汚れが生じたりする等の問題が生じている。
【０００６】
図１にこの種の従来の画像形成装置を示す。図示の画像形成装置では、図示は省略するが、印刷用紙セット、排紙、オペポート部が同一面にまとめられ装置本体１の前面が操作面４となっており、前面操作が可能としてある。また装置本体１の底面には、設置用脚２が装置本体１の四隅にそれぞれ設けられている。
【０００７】
設置用脚２の設置面３と接触する端面には、装置本体１の滑りを防ぐために摩擦係数の大きな部品（ほとんどの場合、ゴム製である）が取り付けられていることは、上述の通りである。
【０００８】
このような装置本体１を設置する場合には、この装置では装置本体１の下側左右（図では紙面垂直方向が左右になる）に凹部が設けられ、そこに取っ手部が形成されたり、凹部自体が取っ手部とされており、この取っ手部を持って装置本体１を設置することになる。
【０００９】
ところが、装置本体１の底面に設けた設置用脚２の端面にはゴムなどからなる滑り止めが設けられているため、設置位置まで装置本体１を設置面３から浮かせて移動する必要があり（図２参照）、既述のようにパソコンラックの上段に設置するような場合、小柄な人、女性等の非力な人にとっては大変な労力が必要となる。
【００１０】
また図示の装置の場合、図中右側が操作面４となっているため、パソコンラック上に設置するような場合には、図中左側の設置用脚２を乗せ、操作面４側を持ち上げた状態で滑らせて移動させることが多くなると考えられるが、設置用脚２の端面にはゴムなどからなる滑り止めによって滑りが悪く、無理に滑らせると、上述のように滑り止め部材の剥がれや、設置面３へのこすれとそれに伴う汚れの付着等の問題が発生する。
【００１１】
【特許文献１】特開2005-215423号公報
【特許文献２】特開2003-94767号公報
【特許文献３】特開2005-919467号公報
【特許文献４】特開2005-3267097号公報
【発明の開示】
【発明が解決しようとする課題】
【００１２】
そこで本発明は、上述のような従来の問題点を解決できる手段を備えた画像形成装置を提供することを目的とする。
【課題を解決するための手段】
【００１３】
本発明に係る画像形成装置のうち請求項１に係るものは、底面に設置用の脚や突起を備える画像形成装置において、装置本体底面に、前記設置用の脚や突起よりも突出高さが高く、不要時には装置本体底面側へ前記設置用の脚や突起よりも突出高さが低くなるように収納可能な装置設置補助部材を有することを特徴とする。
【００１４】
同請求項２に係るものは、請求項１の画像形成装置において、前記装置設置補助部材が、前記装置本体の底面あるいはその近傍部位に回動可能に取り付けてなることを特徴とする。
【００１５】
同請求項３に係るものは、請求項２の画像形成装置において、前記装置設置補助部材が、回動軸を中心にその高さが回動に伴って徐々に変化する端面形状を有することを特徴とする。
【００１６】
同請求項４に係るものは、請求項１から３のいずれかの画像形成装置において、前記装置設置補助部材が低摩擦係数の樹脂部品であることを特徴とする。
【００１７】
同請求項５に係るものは、底面に設置用の脚や突起を備える画像形成装置において、装置本体底面に、設置時に前記設置用の脚や突起よりも移動方向前方側に、前記脚や突起よりも突出高さが低い突起を設けてなることを特徴とする。
【００１８】
同請求項６に係るものは、請求項５の画像形成装置において、前記突起を前記装置本体の設置時移動方向の左右両側２箇所以上に設けてなることを特徴とする。
【００１９】
同請求項７に係るものは、請求項５または６の画像形成装置において、前記突起が低摩擦係数の樹脂部品であることを特徴とする。
【発明の効果】
【００２０】
本発明は、装置本体底面に設ける設置用補助部材により、画像形成装置の設置時に発生するであろう音、衝撃を防ぎ、装置の品質を保つことが可能で、設置性の向上が図ることができる。
【発明を実施するための最良の形態】
【００２１】
以下、本発明の実施形態に関して、添付図面に基づき説明する。
【実施例１】
【００２２】
図３は本発明に係る画像形成装置の一実施例を示す図１相当の図（Ａ）と、底面脚部の概略断面を示した要部拡大断面図（Ｂ）である。装置本体１の底面１ａは樹脂部品で構成され、従来と同様の脚部２が一体に形成されている。脚部２の設置面３と接する端面部分にはゴム部材２ａが、両面テープ等を用いて貼り付けてある。なお両面テープでの脚部２の端面とゴム部材２ａのズレを防ぐため、樹脂製の脚部２の端面は図示のように凹状にして形成してあり、その凹部２ｂの内側に装着したゴム部材２ａの外周を囲むように形成してある。
【００２３】
また装置本体１の底面１ａには、脚部２の近傍に設置補助部材１０を回転軸１０ａを中心に上下方向で回動可能に軸支して設けてある。この設置補助部材１０は、装置本体１の接地面３上への設置時には図示するように脚部２より高くなるように回動させて脚部２下端面のゴム部材２ａよりも下方へ突出するように設置し、装置本体１を設置した後、画像形成装置として使用する前に図中矢印方向に回動させ、装置本体１の底面１ａ側へ寄せるように収納する。
【００２４】
この設置補助部材１０は、例えば摩擦係数が小さい樹脂部品あるいはこれと同等の機能を発揮し得る素材で形成し、装置本体１の設置面３上への設置時に設置面３上を摺動させても、滑らせるのに困難が伴わず、滑らせながら設置することが容易にできるようになる。また、こすれる音があまり大きな音量では発生せず、しかも多少がたがたと移動させても大きな衝撃が生じず、移動時に滑り止めのゴム部材２ａが剥がれてしまったり、設置面３上にこすれによる汚れが生じさせたりすることをなくし得るようになる。
【実施例２】
【００２５】
図４は本発明の実施例２を示す要部拡大断面図である。この実施例の設置補助部材２０は、例えば摩擦係数が小さい樹脂部品あるいはこれと同等の機能を発揮し得る素材で形成するなどの素材的な面と、基本的な動作としては実施例１の設置補助部材１０と同様であるが、その外周形状が回転軸２１を中心に高さが徐々に変化する形状となっており、装置本体１の設置面３上への設置時には図４（Ａ）のように設定して脚部２下端面のゴム部材２ａよりも下方へ突出するようにし高さを高くし、設置した後、画像形成装置として使用する前に図中矢印方向に回動させ、装置本体１の底面１ａ側へ寄せるように収納する。この収納時には脚部２より高さが低くなる。先の実施例では、収納時に一気に設置補助部材１０の高さが脚部２より低くなるので、装置本体１が設置面３上に落下して衝撃を受けたり、落下衝撃音を発生させたりし得るが、本実施例では設置補助部材２０の高さが徐々に低くなっていくので、収納する際に衝撃による音だけでなく衝撃自体もほとんどあるいはまったく発生しなくなる。
【００２６】
すなわち実施例１の設置補助部材１０は、設置性の向上が図れるが、収納時に音が発生してしまいやすく、その意味では品位が悪く、装置本体１に衝撃が掛かって内部部品の位置がずれること等によって調整値のズレ等が生じる可能性があるが、本実施例ではそのような不都合を避けることができ、また部品を追加することもないので、コストアップを招くこともなく、設置性の向上を図ることができる。
【実施例３】
【００２７】
図５は本発明の実施例３を示す図である。この実施例の装置本体１には操作面４側から見て設置方向前方側（装置としては後方側あるいは背面側となる）の脚部２より更に後方に脚部２より高さが低い凸部３０を設けてある。なお形状は凸状でなくリブ状等でもよい。また設置位置は、少なくとも装置本体１の装置としては後方側あるいは背面側の左右方向（図５では紙面垂直方向）にある２個あるいはそれ以上の個数の脚部２よりも後方に、少なくとも２箇設ければよい。もちろん、それ以上の個数を設けても良い。また図示の例では凸部３０を装置本体１の底面１ａを構成する樹脂部品と一体として形成してあるように描いてあるが、一体でも別部品でもいずれでも良い。また場合によっては、外装部材に凸部を設けてもいい。
【００２８】
このように構成することで、図２において説明したような設置の場合においても凸部３０が先に設置面３に当たり、先の実施例と同様に、例えば摩擦係数が小さい樹脂部品あるいはこれと同等の機能を発揮し得る素材で形成すれば、ゴム部材２ａが直接かつ先に設置面３に摺接するのに比べ、摩擦係数が低いために滑らせながら設置することが容易にでき、設置性の向上が図れる。また装置本体１と一体構成にすれば、新たな部品を追加する等のコストアップの要因も排除できる。
【００２９】
なお図示の例では操作面４側から見て後方側に凸部３０を設けているが、操作面４から見て横方向に設置することもあることを考慮すれば、装置本体１の左右方向にも設けるようにしてもよい。
【図面の簡単な説明】
【００３０】
【図１】従来の小型のプリンタのような画像形成装置を示す側面図
【図２】同設置する途中の状態の画像形成装置の側面図
【図３】本発明に係る画像形成装置の一実施例を示す図１相当の図（Ａ）と、底面脚部の概略断面を示した要部拡大断面図（Ｂ）
【図４】本発明の実施例２を示す図３相当の要部拡大断面図
【図５】本発明の実施例３を示す図３相当の要部拡大断面図
【符号の説明】
【００３１】
１  画像形成装置の装置本体
１ａ  同装置本体の底面
２  脚部
２ａ  ゴム部材
２ｂ  凹部
３  設置面
４  操作面
１０  設置補助部材
１０ａ  回転軸
２０  設置補助部材
２０ａ  回転軸
３０  凸部
【図１】
2008093922.tif 000003
【図２】
2008093922.tif 000004
【図３】
2008093922.tif 000005
【図４】
2008093922.tif 000006
【図５】
2008093922.tif 000007